(57)【要約】【課題】  ネジやピンなどを使用せずに本体ケースを形成することができる耳かけ型補聴器を提供する。【解決手段】  ２つのケース部品１１，１２を組み付けて本体ケース２の全体形状を形成し、ケース部品１１，１２はその外周部を固定部品により挟持されて固定される。ケース部品１１，１２を組み付けることで掛止溝３５を形成し、この掛止溝３５に固定部品であるパネル１３に設けた掛止部３０を引っ掛け、更にケース部品１１，１２の挟持溝３６にパネル１３に設けた挟持部３１を嵌挿することにより、パネル１３がケース部品１１，１２を挟持して固定する。【選択図】        図６
2011009886.tif 000002
【特許請求の範囲】
【請求項１】
少なくとも２つのケース部品を組み付けて本体ケースの全体形状を形成し、前記ケース部品はその外周部を固定部品により挟持されて固定されることを特徴とする耳かけ型補聴器。
【請求項２】
請求項１記載の耳かけ型補聴器において、前記ケース部品を組み付けることで電池ホルダ回動軸を形成し、この電池ホルダ回動軸に設けた環状溝部に電池ホルダに設けた電池ホルダ取付部の略環状凸部を、前記電池ホルダ取付部の略環状溝部に前記電池ホルダ回動軸の環状凸部を夫々嵌合することにより、前記ケース部品を挟持して固定すると共に、前記電池ホルダを前記本体ケースに組み付けることを特徴とする耳かけ型補聴器。
【請求項３】
請求項１記載の耳かけ型補聴器において、前記ケース部品でノズルを挟んで組み付けることでノズルロック取付部を形成し、このノズルロック取付部にノズルロックを嵌め込み、このノズルロックが前記ケース部品を挟持して固定することを特徴とする耳かけ型補聴器。
【請求項４】
請求項１記載の耳かけ型補聴器において、前記ケース部品を組み付けることで掛止溝を形成し、この掛止溝にパネルに設けた掛止部を引っ掛け、更に前記ケース部品の挟持溝に前記パネルに設けた挟持部を嵌挿することにより、前記パネルが前記ケース部品を挟持して固定することを特徴とする耳かけ型補聴器。
【請求項５】
請求項４記載の耳かけ型補聴器において、前記パネルにはコネクタカバーが備えられ、このコネクタカバーに設けたコネクタカバー取付溝を前記パネルに設けたコネクタカバー取付部に嵌め込んで、前記コネクタカバーを前記パネルに取り付けることで前記パネルを前記ケース部品に固定することを特徴とする耳かけ型補聴器。
【発明の詳細な説明】
【技術分野】
【０００１】
本発明は、ネジやピンなどを使用せずに本体ケースを形成する耳かけ型補聴器に関する。
【背景技術】
【０００２】
従来、耳かけ型補聴器の本体ケースは、２つのケース部品を組み付けて全体形状を形成している。マイクロホン、イヤホンや電気部品などの内臓部品の組み込み作業や、メンテナンスの際に分解しなければならない場合があることから、このような構造が採用されていることが多い。そして、ケース部品を互いに固定させるために、ネジやピンが使用されている（例えば、特許文献１参照）。メンテナンスの必要があるので、一般的に接着剤は使われない。
【先行技術文献】
【特許文献】
【０００３】
【特許文献１】特開２００１−１８９９９７号公報
【発明の概要】
【発明が解決しようとする課題】
【０００４】
しかし、ケース部品を互いに固定するためのネジやピンは、内臓部品と内臓部品の隙間に配置させる場合が多い。従って、ケースの中ほどに配置されてしまう。ケース部品の中ほどにネジやピンが配置されると、ケースの小型化の妨げになる。ケース部品の中ほどでケース部品をネジやピンで固定すると、ケース部品の外周部に歪み、隙間ができる場合がある。ケース表面にネジ頭やピン端部が露出するので、美観を損ねる。また、ケース表面にネジ頭やピン端部が露出すると、静電気の影響を受け易くなる場合がある。
【０００５】
本発明は、従来の技術が有するこのような問題点に鑑みてなされたものであり、その目的とするところは、ネジやピンなどを使用せずに本体ケースを形成することができる耳かけ型補聴器を提供しようとするものである。
【課題を解決するための手段】
【０００６】
上記課題を解決すべく本発明は、少なくとも２つのケース部品を組み付けて本体ケースの全体形状を形成し、前記ケース部品はその外周部を固定部品により挟持されて固定されるものである。
【０００７】
前記ケース部品を組み付けることで電池ホルダ回動軸を形成し、この電池ホルダ回動軸に設けた環状溝部に電池ホルダに設けた電池ホルダ取付部の略環状凸部を、前記電池ホルダ取付部の略環状溝部に前記電池ホルダ回動軸の環状凸部を夫々嵌合すれば、前記ケース部品を挟持して固定すると共に、前記電池ホルダを前記本体ケースに組み付けることができる。
【０００８】
前記ケース部品でノズルを挟んで組み付けることでノズルロック取付部を形成し、このノズルロック取付部にノズルロックを嵌め込めば、このノズルロックが前記ケース部品を挟持して固定することができる。
【０００９】
前記ケース部品を組み付けることで掛止溝を形成し、この掛止溝にパネルに設けた掛止部を引っ掛け、更に前記ケース部品の挟持溝に前記パネルに設けた挟持部を嵌挿すれば、前記パネルにより前記ケース部品を挟持して固定することができる。
また、前記パネルにはコネクタカバーが備えられ、このコネクタカバーに設けたコネクタカバー取付溝を前記パネルに設けたコネクタカバー取付部に嵌め込めば、前記コネクタカバーを前記パネルに取り付けることで前記パネルを前記ケース部品に固定することもできる。
【発明の効果】
【００１０】
本発明によれば、ケース部品の外周部を固定するので接合部に隙間が生じ難い。固定部がケース部品の内部ではなく外周部に存在するので、本体ケースの内部空間を有効に使うことができる。本体ケースの内部にネジやピンなどが存在しないので本体ケースを小型化し易くなる。また、ネジやピンなどが表面に露出しないので、美観を損なわず見栄えがよくなる。ネジやピンなどが表面に露出しないので、静電気の影響を受け難い。更に、本体ケースに貫通孔を設ける必要が無くなるので、塗装が容易になる。
【図面の簡単な説明】
【００１１】
【図１】本発明に係る耳かけ型補聴器の斜視図
【図２】耳かけ型補聴器本体の分解斜視図
【図３】電池ホルダと電池ホルダ回動軸との組付状態を示す斜視図
【図４】電池ホルダの組付説明図
【図５】パネルの裏面を示す斜視図
【図６】パネルの組付説明図
【図７】ノズルロックの裏面を示す斜視図
【図８】ノズルロックの組付説明図
【発明を実施するための形態】
【００１２】
以下に本発明の実施の形態を添付図面に基づいて説明する。本発明に係る耳かけ型補聴器１は、図１に示すように、本体ケース２、フック３、チューブ４、ジョイント５、耳せん６などからなる。７は電池ホルダである。本体ケース２の内部には、マイクロホン、補聴処理部としてのＤＳＰ（Digital Signal Processor）やイヤホンなどの部品が収納されている。
【００１３】
本体ケース２は、左ケース部品１１、右ケース部品１２、パネル１３、電池ホルダ７などにより形成される。パネル１３にはコネクタカバー１４が備えられている。また、本体ケース２は、ネジやピンなどを使用せずに組み立てられている。
【００１４】
本体ケース２の組立は、図２に示すように、本体ケース２のほぼ全体形状を形成する左ケース部品１１と右ケース部品１２を組み付けることから始まる。イヤホン１５は、イヤホンチューブ１６で保持され、ノズル１７以外でケース部品１１，１２により固定されない。ノズル１７は、ノズル１７に設けた鍔１７ａが左ケース部品１１の溝と右ケース部品１２の溝に嵌まることによって本体ケース２に固定される。
【００１５】
プリント基板１８は、右ケース部品１２の内壁に嵌め込まれて固定され、プリント基板１８にはマイクロホン、ＤＳＰ、スイッチ、通信コネクタや電池接片などが搭載されている。
【００１６】
２０は左ケース部品１１に形成された電池ホルダ回動軸を構成する大径部２０ａと小径部２０ｂからなる突起部、２１も右ケース部品１２に形成された電池ホルダ回動軸を構成する大径部２１ａと小径部２１ｂからなる突起部である。そして、左ケース部品１１と右ケース部品１２を組み付けることにより、２つの突起部２０，２１は略棒状の電池ホルダ回動軸を構成する。
【００１７】
電池ホルダ７は、図３と図４に示すように、電池ホルダ７に設けた電池ホルダ回動軸取付部２５に左ケース部品１１と右ケース部品１２で形成された電池ホルダ回動軸２６を嵌め込むことにより本体ケース２の一部を構成する。
【００１８】
電池ホルダ回動軸取付部２５には、略環状溝部２５ａと、この略環状溝部２５ａを挟んで形成された２つの略環状凸部２５ｂが設けられている。また、電池ホルダ回動軸２６には、２つの大径部２０ａ，２１ａからなる環状凸部２６ａと、この環状凸部２６ａを挟んで形成された２つの環状溝部２６ｂが設けられている。２つの環状溝部２６ｂは、夫々小径部２０ｂ，２１ｂより形成される。
【００１９】
略環状溝部２５ａに環状凸部２６ａを嵌合し、環状溝部２６ｂに略環状凸部２５ｂを嵌合すると、電池ホルダ７は電池ホルダ回動軸２６に組み付けられると共に、電池ホルダ回動軸取付部２５の２つの略環状凸部２５ｂが、２つの大径部２０ａ，２１ａからなる環状凸部２６ａを挟持するので、電池ホルダ回動軸２６を構成する２つの突起部２０，２１は分離できなくなり、左ケース部品１１と右ケース部品１２は互いに固定されることになる。
【００２０】
本体ケース２の背面に設けれ、左ケース部品１１と右ケース部品１２を挟持して左ケース部品１１と右ケース部品１２を互いに固定するパネル１３は、図５に示すように、裏面先端部に設けた凸形状の掛止部３０と、裏面両端夫々に２つ設けた略直方体形状の挟持部３１と、裏面後端の両端部に対向して設けた突起部に穴３２ａを形成したパネル固定穴３２を有している。３３はパネル１３の後端の両内壁面に設けた凸形状のコネクタカバー取付部である。
【００２１】
左ケース部品１１と右ケース部品１２に対するパネル１３の組付は、図６に示すように、左ケース部品１１と右ケース部品１２を合わせると形成される掛止溝３５にパネル１３の掛止部３０を引っ掛け、左ケース部品１１と右ケース部品１２に取り付ける。すると、挟持部３１に対向して左ケース部品１１と右ケース部品１２に夫々設けられている挟持溝３６にパネル１３の挟持部３１が嵌挿する。
【００２２】
そして、パネル１３の両端に形成された挟持部３１が左ケース部品１１と右ケース部品１２を挟持して互いを固定することになる。
【００２３】
更に、パネル１３のパネル固定穴３２が左ケース部品１１と右ケース部品１２の夫々に設けたパネル固定部３７に嵌まる。パネル１３のコネクタカバー１４が取り付けられる部分は、Ｕ字状に欠けているので、少し力を加えれば弾性により内側へ曲がるため、容易にパネル固定穴３２をパネル固定部３７に着脱でき、パネル１３は左ケース部品１１と右ケース部品１２に対して着脱可能となる。コネクタカバー１４をパネル１３に取り付けるには、コネクタカバー取付凹部３８にコネクタカバー取付部３３を嵌めればよい。
【００２４】
コネクタカバー１４をパネル１３のＵ字状部分に取り付けると、パネル１３のＵ字状部分が内側に曲がらなくなり、パネル固定部３７からパネル固定穴３２が外れなくなるので、パネル１３は左ケース部品１１と右ケース部品１２から外れなくなる。また、コネクタカバー１４をパネル１３から外せば、左ケース部品１１と右ケース部品１２からパネル１３を容易に取り外すことができる。パネル１３を外す方向には、パネル１３の左ケース部品１１と右ケース部品１２に対する挟持力は作用していないからである。
【００２５】
本実施例では、コネクタカバー１４を用いてパネル１３を固定させたが、パネル１３の弾性を抑制しパネル固定部３７からパネル固定穴３２を外れなくする部品であればよく、コネクタカバー１４に限定されない。
【００２６】
ノズルロック４０は、図７に示すように、ノズル１７を通す貫通孔４０ａとマイクロホンに音を導く貫通孔４０ｂを有している。また、ノズルロック４０には、左ケース部品１１と右ケース部品１２を合わせると端部に形成されるノズルロック取付部４１が嵌め込まれる凹部４２が形成されている。
【００２７】
図８に示すように、ノズルロック取付部４１がノズルロック４０の凹部４２に嵌まり、ノズルロック４０の裏面４０ｃが左ケース部品１１と右ケース部品１２の端面４３に当接すると、ノズルロック４０がノズルロック取付部４１に組み付けられたことになる。すると、ノズルロック４０が左ケース部品１１と右ケース部品１２を挟持して互いを固定することになる。
【００２８】
本発明に係る耳かけ型補聴器１の本体ケース２は、固定部品としての電池ホルダ７とパネル１３とノズルロック４０を用いて左ケース部品１１と右ケース部品１２の外周部を挟持し互いを固定する構成とした。このような構成により、本体ケース２の内部にネジやピンなどが存在しないので本体ケース２を小型化し易く、ネジやピンなどが表面に露出しないので美観を損なわず見栄えがよく且つ静電気の影響を受け難く、本体ケース２に貫通孔を設ける必要がないので塗装が容易である。
【産業上の利用可能性】
【００２９】
本発明によれば、ネジやピンなどを用いずにケース部品の外周部をパネルなどの固定部品により挟持して本体ケースを形成するので、本体ケースの内部にネジやピンなどが存在しないので、本体ケースを小型化し易く、ネジやピンなどが表面に露出しないので、美観を損なわず見栄えがよく且つ静電気の影響を受け難く、本体ケースに貫通孔を設ける必要がないので、塗装が容易である耳かけ型補聴器を提供することができる。
【符号の説明】
【００３０】
１…耳かけ型補聴器、２…本体ケース、７…電池ホルダ、１１…左ケース部品、１２…右ケース部品、１３…パネル、１４…コネクタカバー、１７…ノズル、２０，２１…突起部、２５…電池ホルダ回動軸取付部、２５ａ…略環状溝部、２５ｂ…略環状凸部、２６…電池ホルダ回動軸、２６ａ…環状凸部、２６ｂ…環状溝部、３０…掛止部、３１…挟持部、３２…パネル固定穴、３３…コネクタカバー取付部、３５…掛止溝、３６…挟持溝、３７…パネル固定部、３８…コネクタカバー取付凹部、４０…ノズルロック、４１…ノズルロック取付部。
【図１】
2011009886.tif 000003
【図２】
2011009886.tif 000004
【図３】
2011009886.tif 000005
【図４】
2011009886.tif 000006
【図５】
2011009886.tif 000007
【図６】
2011009886.tif 000008
【図７】
2011009886.tif 000009
【図８】
2011009886.tif 000010